(57)【要約】【課題】行った場所の映像を取得できるのみで、行った場所に関する情報や、一緒に居た人の情報や、その時の天気などの環境情報を自動的に取得することができなかった。【解決手段】携帯端末識別情報で識別されるユーザが行った場所を示す情報である場所情報を、直接または間接に１以上受信し、当該１以上の場所情報を出力し、当該出力した１以上の場所情報を修正する指示または／および場所情報を選択する指示または／および入力を受け付け、当該受け付けた指示や入力に基づいて日記を構成し、出力するにより、ユーザが移動した際の情報を自動的に取得でき、日記の作成等に有効に利用できる。【選択図】  図２
2004274226.tif 000002
【特許請求の範囲】
【請求項１】
携帯可能な携帯端末と、１以上の場所に設置されている１以上の設置端末と、第一情報処理装置と、第二情報処理装置を具備する情報処理システムであって、
前記携帯端末は、
当該携帯端末を識別する情報である携帯端末識別情報を格納している携帯端末識別情報格納部を具備し、
前記設置端末は、
設置端末が設置されている場所を識別する情報である場所情報を格納している場所情報格納部と、
前記携帯端末から携帯端末識別情報を取得する携帯端末識別情報受信部と、
前記場所情報と前記携帯端末識別情報を有するユーザ居場所情報を前記第一情報処理装置に送信するユーザ居場所情報送信部を具備し、
前記第一情報処理装置は、
前記ユーザ居場所情報を１以上の設置端末から受信するユーザ居場所情報受信部と、
前記ユーザ居場所情報受信部が受信したユーザ居場所情報を蓄積するユーザ居場所情報蓄積部と、
携帯端末識別情報に基づいて１以上の場所情報を取得する場所情報取得部と、
前記場所情報取得部が取得した１以上の場所情報を前記第二情報処理装置に送信する場所情報送信部を具備し、
前記第二情報処理装置は、
前記第一情報処理装置から１以上の場所情報を受信する場所情報受信部と、
前記場所情報受信部が受信した場所情報を出力する場所情報出力部を
具備する情報処理システム。
【請求項２】
前記第一情報処理装置は、
前記第二情報処理装置から、携帯端末識別情報を有し、ユーザが居た場所に関する情報を取得する指示である情報取得指示情報を受信する情報取得指示受信部をさらに具備し、
前記場所情報取得部は、情報取得指示情報が有する携帯端末識別情報から１以上の場所情報を取得し、
前記第二情報処理装置は、
情報取得指示情報の入力を受け付ける情報取得指示受付部と、
前記情報取得指示情報を前記第一情報処理装置に送信する情報取得指示送信部をさらに具備する請求項１記載の情報処理システム。
【請求項３】
前記第二情報処理装置は、
前記場所情報出力部が出力した場所情報を修正する指示または／および場所情報を選択する指示または／および入力を受け付ける編集指示受付部と、
前記編集指示受付部で受け付けた指示や入力に基づいて日記を構成する日記構成部と、
前記日記構成部が構成した日記の情報を蓄積する日記蓄積部をさらに具備する請求項１または請求項２いずれか記載の情報処理システム。
【請求項４】
前記第二情報処理装置は、
前記第一情報処理装置から１以上の場所情報に加えて、当該場所情報に対応する時刻情報をも受信し、出力する請求項１から請求項３いずれか記載の情報処理システム。
【請求項５】
前記設置端末は、
２以上の携帯端末識別情報を受信し、
前記第二情報処理装置は、
前記場所情報出力部が出力する場所情報が示す場所に一緒に居た者を識別する情報をも出力する請求項１から請求項５いずれか記載の情報処理システム。
【請求項６】
前記設置端末は、
前記第一情報処理装置に、
同一の場所情報および同一の携帯端末識別情報を有する２以上のユーザ居場所情報を送信する／または、一の携帯端末識別情報で識別されるユーザが一の場所情報で識別される場所に居た時間を示す情報である時間情報を送信し、
前記第二情報処理装置は、
前記場所情報出力部が出力する場所情報が示す場所に居た時間を示す時間情報をも出力する請求項１から請求項５いずれか記載の情報処理システム。
【請求項７】
前記ユーザ居場所情報は、ユーザが居る場所の環境に関する情報である環境情報をも含み、
前記第二情報処理装置は、
前記場所情報出力部が出力する場所情報が示す場所の環境情報をも出力する請求項１から請求項６いずれか記載の情報処理システム。
【請求項８】
前記第一情報処理装置は、
前記場所情報送信部の場所情報の送信に対応して、前記第二情報処理装置に対して課金処理する課金処理部を
さらに具備する請求項１から請求項７いずれか記載の情報処理システム。
【請求項９】
前記第一情報処理装置は、
条件を示す情報である条件情報を格納している条件情報格納部と、
前記ユーザ居場所情報受信部が受信した１以上のユーザ居場所情報が、前記条件情報が示す条件に合致するか否かを判断する条件合致判断部と、
前記条件合致判断部の判断が合致するとの判断である場合に、その旨の情報を蓄積または／および出力する判断結果出力部をさらに具備する請求項１から請求項８いずれか記載の情報処理システム。
【請求項１０】
携帯可能な携帯端末と、１以上の場所に設置されている１以上の設置端末と、第一情報処理装置と、第二情報処理装置を具備する情報処理システムであって、
前記携帯端末は、
当該携帯端末を識別する情報である携帯端末識別情報を格納している携帯端末識別情報格納部を具備し、
前記設置端末は、
前記携帯端末から携帯端末識別情報を取得する携帯端末識別情報受信部と、
前記携帯端末識別情報受信部が携帯端末識別情報を取得した場合に、映像を取得する映像取得部と、
前記映像と前記携帯端末識別情報を有するユーザ居場所情報を前記第一情報処理装置に送信するユーザ居場所情報送信部を具備し、
前記第一情報処理装置は、
前記ユーザ居場所情報を１以上の設置端末から受信するユーザ居場所情報受信部と、
前記ユーザ居場所情報受信部が受信したユーザ居場所情報を蓄積するユーザ居場所情報蓄積部と、
携帯端末識別情報に基づいて１以上の映像を取得する映像取得部と、
前記映像取得部が取得した１以上の映像を前記第二情報処理装置に送信する映像送信部を具備し、
前記第二情報処理装置は、
前記第一情報処理装置から１以上の映像を受信する映像受信部と、
前記映像受信部が受信した映像を出力する映像出力部を
具備する情報処理システム。
【請求項１１】
前記第一情報処理装置は、
前記第二情報処理装置から、携帯端末識別情報を有し、ユーザが居た場所に関する情報を取得する指示である情報取得指示情報を受信する情報取得指示受信部をさらに具備し、
前記映像取得部は、前記情報取得指示情報が有する携帯端末識別情報から１以上の映像を取得し、
前記第二情報処理装置は、
情報取得指示情報の入力を受け付ける情報取得指示受付部と、
前記情報取得指示情報を前記第一情報処理装置に送信する情報取得指示送信部をさらに具備する請求項１０記載の情報処理システム。
【請求項１２】
前記第二情報処理装置は、
前記映像出力部が出力した映像を修正する指示または／および映像を選択する指示または／および入力を受け付ける編集指示受付部と、
前記編集指示受付部で受け付けた指示や入力に基づいて日記を構成する日記構成部と、
前記日記構成部が構成した日記の情報を蓄積する日記蓄積部をさらに具備する請求項１０または請求項１１いずれか記載の情報処理システム。
【請求項１３】
前記ユーザ居場所情報は、ユーザが居る場所の環境に関する情報である環境情報をも含み、
前記第二情報処理装置は、
前記映像出力部が出力する映像が取得された場所の環境情報をも出力する請求項１０から請求項１２いずれか記載の情報処理システム。
【請求項１４】
前記第一情報処理装置は、
前記映像送信部の映像の送信に対応して、前記第二情報処理装置に対して課金処理する課金処理部を
さらに具備する請求項１０から請求項１３いずれか記載の情報処理システム。
【請求項１５】
請求項１から請求項１４いずれか記載の情報処理システムを構成する第一情報処理装置。
【請求項１６】
請求項１から請求項１４いずれか記載の情報処理システムを構成する第二情報処理装置。
【請求項１７】
コンピュータに、
情報取得指示情報の入力を受け付ける情報取得指示受付ステップと、
前記情報取得指示情報に対応して１以上の場所情報を受信する場所情報受信ステップと、
前記場所情報受信ステップで受信した場所情報を出力する場所情報出力ステップを実行させるためのプログラム。
【請求項１８】
前記場所情報出力ステップで出力した場所情報を修正する指示または／および場所情報を選択する指示または／および入力を受け付ける編集指示受付ステップと、
前記編集指示受付ステップで受け付けた指示や入力に基づいて日記を構成する日記構成ステップと、
前記日記構成ステップで構成した日記の情報を蓄積する日記蓄積ステップをさらに具備する請求項１７記載のプログラム。
【請求項１９】
コンピュータに、
情報取得指示情報の入力を受け付ける情報取得指示受付ステップと、
前記情報取得指示情報に対応して１以上の映像を受信する映像受信ステップと、前記映像受信ステップで受信した映像を出力する映像出力ステップを実行させるためのプログラム。
【請求項２０】
前記映像出力ステップで出力した映像を修正する指示または／および映像を選択する指示または／および入力を受け付ける編集指示受付ステップと、
前記編集指示受付ステップで受け付けた指示や入力に基づいて日記を構成する日記構成ステップと、
日記構成ステップで構成した日記の情報を蓄積する日記蓄積ステップをさらに具備する請求項１９記載のプログラム。
【請求項２１】
請求項１から請求項１４いずれか記載の情報処理システムを構成する携帯端末。
【請求項２２】
請求項１から請求項１４いずれか記載の情報処理システムを構成する設置端末。
【請求項２３】
携帯端末識別情報で識別されるユーザが行った場所を示す情報である場所情報を、直接または間接に１以上受信し、当該１以上の場所情報を出力する第二情報処理装置。
【請求項２４】
前記出力した１以上の場所情報を修正する指示または／および場所情報を選択する指示または／および入力を受け付け、当該受け付けた指示や入力に基づいて日記を構成し、出力する請求項２３記載の第二情報処理装置。
【発明の詳細な説明】
【０００１】
【発明の属する技術分野】
本発明は、ユーザが１以上の場所を移動した場合に、自動的に当該移動の履歴を取得できる情報処理システム等に関する。
【０００２】
【従来の技術】
従来、インターネットを利用して、ある地点のカメラ映像を取得し、出力できるシステムが存在し、サービスが実施されている（非特許文献１）。かかるシステムにより、ある地点の様子が遠隔からでも取得できる。このシステムを利用して、自分が旅行に行った際に、家の人に依頼して、当該地点の映像を取得して、蓄積することは可能である。
【０００３】
【非特許文献１】
札幌テレビ放送ホームページ、インターネット＜ｈｔｔｐ：／／ｗｗｗ．ｓｔｖ．ｎｅ．ｊｐ／ｗｅｂｃａｍ／ｏｔａｒｕｕｎｇａ／ｉｎｄｅｘ．ｈｔｍｌ＞
【０００４】
【発明が解決しようとする課題】
しかし、上記従来技術によれば、単に映像を取得できるのみで、行った場所に関する情報や、一緒に居た人の情報や、その時の天気などの環境情報を自動的に取得することができない。
【０００５】
したがって、移動した記録を利用して、例えば、日記を記載しようとした場合に、ほとんど白紙の状態から、過去の移動の記憶を思い出しながら日記を記載しなければならない。
【０００６】
【課題を解決するための手段】
そこで、第一の発明は、携帯可能な携帯端末と、１以上の場所に設置されている１以上の設置端末と、第一情報処理装置と、第二情報処理装置を具備する情報処理システムであって、携帯端末は、当該携帯端末を識別する情報である携帯端末識別情報を格納している携帯端末識別情報格納部を具備し、設置端末は、設置端末が設置されている場所を識別する情報である場所情報を格納している場所情報格納部と、携帯端末から携帯端末識別情報を取得する携帯端末識別情報受信部と、場所情報と携帯端末識別情報を有するユーザ居場所情報を第一情報処理装置に送信するユーザ居場所情報送信部を具備し、第一情報処理装置は、ユーザ居場所情報を１以上の設置端末から受信するユーザ居場所情報受信部と、ユーザ居場所情報受信部が受信したユーザ居場所情報を蓄積するユーザ居場所情報蓄積部と、携帯端末識別情報に基づいて１以上の場所情報を取得する場所情報取得部と、場所情報取得部が取得した１以上の場所情報を前記第二情報処理装置に送信する場所情報送信部を具備し、第二情報処理装置は、第一情報処理装置から１以上の場所情報を受信する場所情報受信部と、場所情報受信部が受信した場所情報を出力する場所情報出力部を具備する情報処理システムであり、かかる情報処理システムにより、ユーザが移動した際の情報を自動的に取得でき、日記の作成等に有効に利用できる。
【０００７】
また、第二の発明は、上記情報処理システムの設置端末は、２以上の携帯端末識別情報を受信し、第二情報処理装置は、場所情報出力部が出力する場所情報が示す場所に一緒に居た者を識別する情報をも出力することにより、一緒に移動した人の情報も分かり、日記の作成等にも非常に有効である。
【０００８】
また、第三の発明は、携帯可能な携帯端末と、１以上の場所に設置されている１以上の設置端末と、第一情報処理装置と、第二情報処理装置を具備する情報処理システムであって、携帯端末は、当該携帯端末を識別する情報である携帯端末識別情報を格納している携帯端末識別情報格納部を具備し、設置端末は、携帯端末から携帯端末識別情報を取得する携帯端末識別情報受信部と、携帯端末識別情報受信部が携帯端末識別情報を取得した場合に、映像を取得する映像取得部と、映像と前記携帯端末識別情報を有するユーザ居場所情報を前記第一情報処理装置に送信するユーザ居場所情報送信部を具備し、第一情報処理装置は、ユーザ居場所情報を１以上の設置端末から受信するユーザ居場所情報受信部と、ユーザ居場所情報受信部が受信したユーザ居場所情報を蓄積するユーザ居場所情報蓄積部と、携帯端末識別情報に基づいて１以上の映像を取得する映像取得部と、映像取得部が取得した１以上の映像を前記第二情報処理装置に送信する映像送信部を具備し、第二情報処理装置は、第一情報処理装置から１以上の映像を受信する映像受信部と、映像受信部が受信した映像を出力する映像出力部を具備する情報処理システムであり、かかる情報処理システムにより、ユーザが移動した際の動画を含む情報を自動的に取得でき、日記の作成等に有効に利用できる。
【０００９】
【発明の実施の形態】
以下、情報処理システム等の実施形態について図面を参照して説明する。なお、実施の形態において同じ符号を付した構成要素は同様の動作を行うので、再度の説明を省略する場合がある。
【００１０】
（実施の形態１）
図１は、本実施の形態における情報処理システムの概念図である。情報処理システムは、ユーザが携帯して使用する携帯端末１１と、街中等の１以上の場所に設置されている１以上の設置端末１２と、第一情報処理装置１３と、第二情報処理装置１４を有する。なお、１以上の設置端末には、各々１２（１）、１２（２）、・・・１２（ｎ）と符号を付す。ただし、設置端末を代表する符号は、ここでは１２である。
【００１１】
図２は、本実施の形態における情報処理システムのブロック図である。携帯端末１１は、携帯端末識別情報格納部１１０１、携帯端末識別情報送信部１１０２を具備する。
【００１２】
設置端末１２は、場所情報格納部１２０１、携帯端末識別情報受信部１２０２、ユーザ居場所情報送信部１２０３を具備する。
【００１３】
第一情報処理装置１３は、ユーザ居場所情報受信部１３０１、ユーザ居場所情報蓄積部１３０２、情報取得指示受信部１３０３、場所情報取得部１３０４、場所情報送信部１３０５、課金処理部１３０６を具備する。
【００１４】
第二情報処理装置１４は、情報取得指示受付部１４０１、情報取得指示送信部１４０２、場所情報受信部１４０３、場所情報出力部１４０４、編集指示受付部１４０５、日記構成部１４０６、日記蓄積部１４０７を具備する。
【００１５】
携帯端末識別情報格納部１１０１は、携帯端末を識別する情報である携帯端末識別情報を格納している。携帯端末識別情報は、例えば、携帯端末の電話番号やＭＡＣアドレスやＩＰアドレスなどである。また、携帯端末識別情報格納部１１０１が無線タグで構成されている場合、携帯端末識別情報は、当該タグに格納されている情報である。携帯端末識別情報のデータ構造は問わない。携帯端末識別情報格納部１１０１は、不揮発性の記録媒体が好適であるが、揮発性の記録媒体でも実現可能である。
【００１６】
携帯端末識別情報送信部１１０２は、携帯端末識別情報格納部１１０１に格納されている携帯端末識別情報を送信する。携帯端末識別情報送信部１１０２は、無線の通信手段が好適であるが、放送手段等でも実現可能である。
【００１７】
場所情報格納部１２０１は、端末が設置されている場所を識別する情報である場所情報を格納している。場所情報とは、住所を示す情報や、ＧＰＳ受信機で取得した座標情報（ｘ，ｙ，ｈ）や、場所を特定する識別子など何でも良い。場所情報格納部１２０１は、不揮発性の記録媒体が好適であるが、揮発性の記録媒体でも実現可能である。
【００１８】
携帯端末識別情報受信部１２０２は、携帯端末１１から携帯端末識別情報を受信する。携帯端末識別情報受信部１２０２は、無線の通信手段が好適であるが、放送を受信する手段等でも実現可能である。
【００１９】
ユーザ居場所情報送信部１２０３は、場所情報格納部１２０１に格納されている場所情報と携帯端末識別情報受信部１２０２が受信した携帯端末識別情報を有するユーザ居場所情報を第一情報処理装置１３に送信する。ユーザ居場所情報のデータ構造は問わない。ユーザ居場所情報送信部１２０３は、通常、無線または有線の通信手段で実現されるが、放送手段で実現されても良い。
【００２０】
ユーザ居場所情報受信部１３０１は、ユーザ居場所情報を１以上の設置端末１２から受信する。ユーザ居場所情報受信部１３０１は、通常、無線または有線の通信手段で実現されるが、放送を受信する手段で実現されても良い。
【００２１】
ユーザ居場所情報蓄積部１３０２は、ユーザ居場所情報受信部１３０１が受信したユーザ居場所情報を蓄積する。ユーザ居場所情報蓄積部１３０２がユーザ居場所情報を蓄積する記録媒体は、内蔵のものでも外付けのものでも良い。ユーザ居場所情報蓄積部１３０２は、通常、ＭＰＵやメモリ等から実現され得る。ユーザ居場所情報蓄積部１３０２が情報を蓄積するための処理手順は、通常、ソフトウェアで実現され、当該ソフトウェアはＲＯＭ等の記録媒体に記録されている。但し、ハードウェア（専用回路）で実現しても良い。
【００２２】
情報取得指示受信部１３０３は、第二情報処理装置１４から、携帯端末識別情報を有し、ユーザが居た場所や居た時刻等に関する情報を取得する指示である情報取得指示情報を受信する。情報取得指示受信部１３０３は、通常、無線または有線の通信手段で実現されるが、放送を受信する手段で実現されても良い。
【００２３】
場所情報取得部１３０４は、情報取得指示情報が有する携帯端末識別情報から１以上の場所情報を取得する。取得する場所情報は、ユーザ居場所情報蓄積部１３０２が蓄積したユーザ居場所情報が有する場所情報である。場所情報取得部１３０４は、場所情報以外の情報、例えば、ユーザが当該場所に居た時刻や、当該場所を説明する情報や、お天気を示す情報なども取得しても良い。場所情報取得部１３０４は、通常、ＭＰＵやメモリ等から実現され得る。場所情報取得部１３０４が情報を取得するための処理手順は、通常、ソフトウェアで実現され、当該ソフトウェアはＲＯＭ等の記録媒体に記録されている。但し、ハードウェア（専用回路）で実現しても良い。
【００２４】
場所情報送信部１３０５は、場所情報取得部１３０４が取得した１以上の場所情報を第二情報処理装置１４に送信する。場所情報送信部１３０５は、場所情報以外の情報、例えば、ユーザが当該場所に居た時刻や、当該場所を説明する情報や、お天気を示す情報なども送信しても良い。場所情報送信部１３０５は、通常、無線または有線の通信手段で実現されるが、放送を受信する手段で実現されても良い。
【００２５】
課金処理部１３０６は、場所情報送信部１３０５の場所情報等の送信に対応して、第二情報処理装置１４に対して課金処理する。課金処理とは、例えば、課金料を算出し、第二情報処理装置１４を識別する情報である第二情報処理装置識別子に対応付けて、当該課金料を蓄積する処理である。また、課金処理とは、例えば、課金料を算出し、第二情報処理装置１４に対応する銀行の口座番号（予め蓄積している）に対して決済処理を行う、ことである。課金処理とは、その他、課金に関する処理であれば何でも良い。課金処理部１３０６は、通常、ＭＰＵやメモリ等から実現され得る。課金処理部１３０６の処理手順は、通常、ソフトウェアで実現され、当該ソフトウェアはＲＯＭ等の記録媒体に記録されている。但し、ハードウェア（専用回路）で実現しても良い。
【００２６】
情報取得指示受付部１４０１は、情報取得指示情報の入力を受け付ける。情報取得指示情報は、通常、携帯端末識別情報を有する。情報取得指示情報の構造は問わない。情報取得指示情報の入力手段は、テンキーやキーボードやマウスやメニュー画面によるもの等、何でも良い。情報取得指示受付部１４０１は、テンキーやキーボード等の入力手段のデバイスドライバーや、メニュー画面の制御ソフトウェア等で実現され得る。
【００２７】
情報取得指示送信部１４０２は、情報取得指示情報を第一情報処理装置１３に送信する。情報取得指示送信部１４０２は、通常、無線または有線の通信手段で実現されるが、放送手段で実現されても良い。
【００２８】
場所情報受信部１４０３は、情報取得指示情報の送信に対応して、第一情報処理装置１３から１以上の場所情報を受信する。場所情報受信部１４０３は、通常、無線または有線の通信手段で実現されるが、放送手段で実現されても良い。場所情報受信部１４０３と情報取得指示送信部１４０２は、通常、一の物理的手段で実現され得る。
【００２９】
場所情報出力部１４０４は、場所情報受信部１４０３が受信した場所情報を出力する。出力とは、通常、ディスプレイへの表示を言うが、プリンタへの印字、音出力、外部の装置への送信等をも含む概念である。なお、出力の概念は、他の実施の形態においても同様である。場所情報出力部１４０４は、ディスプレイやスピーカー等の出力デバイスを含むと考えても含まないと考えても良い。場所情報出力部１４０４は、出力デバイスのドライバーソフトまたは、出力デバイスのドライバーソフトと出力デバイス等で実現され得る。
【００３０】
編集指示受付部１４０５は、場所情報出力部１４０４が出力した場所情報を修正する指示または／および場所情報を選択する指示または／および入力を受け付ける。入力は、例えば、日記を構成するための文章の入力である。編集指示受付部１４０５は、通常、情報取得指示受付部１４０１と同一の手段で実現される。
【００３１】
日記構成部１４０６は、編集指示受付部１４０５で受け付けた指示や入力に基づいて日記の情報を構成する。日記構成部１４０６が日記情報を構成するアルゴリズムは問わない。また、日記情報のデータ構造も問わない。日記構成部１４０６は、通常、ＭＰＵやメモリ等から実現され得る。日記構成部１４０６が情報を構成するための処理手順は、通常、ソフトウェアで実現され、当該ソフトウェアはＲＯＭ等の記録媒体に記録されている。但し、ハードウェア（専用回路）で実現しても良い。
【００３２】
日記蓄積部１４０７は、日記構成部１４０６が構成した日記情報を蓄積する。日記蓄積部１４０７が日記情報を蓄積する記録媒体は、内蔵のものでも外付けのものでも良い。日記蓄積部１４０７は、通常、ＭＰＵやメモリ等から実現され得る。日記蓄積部１４０７が情報を蓄積するための処理手順は、通常、ソフトウェアで実現され、当該ソフトウェアはＲＯＭ等の記録媒体に記録されている。但し、ハードウェア（専用回路）で実現しても良い。
【００３３】
以下、本情報処理システムの動作について説明する。まず、携帯端末１１の動作について説明する。携帯端末１１は、例えば、無線タグに携帯端末識別情報を保持しており、設置端末１２により、当該携帯端末識別情報を読み出される。
【００３４】
次に、設置端末１２の動作について説明する。設置端末１２は、例えば、無線タグリーダーを具備し、一定の距離以内の無線タグから携帯端末識別情報を読み出す。そして、読み出した携帯端末識別情報と、格納している場所情報を有するユーザ居場所情報を構成し、当該ユーザ居場所情報を第一情報処理装置１３に送信する。
【００３５】
次に、第一情報処理装置１３の動作について図３のフローチャートを用いて説明する。
【００３６】
（ステップＳ３０１）ユーザ居場所情報受信部１３０１は、設置端末１２からユーザ居場所情報を受信したか否かを判断する。ユーザ居場所情報を受信すればステップＳ３０２に行き、ユーザ居場所情報を受信しなければステップＳ３０３に飛ぶ。
【００３７】
（ステップＳ３０２）ユーザ居場所情報蓄積部１３０２は、ステップＳ３０１で受信したユーザ居場所情報を蓄積する。
【００３８】
（ステップＳ３０３）情報取得指示受信部１３０３は、第二情報処理装置１４から情報取得指示情報を受信したか否かを判断する。情報取得指示情報を受信すればステップＳ３０４、情報取得指示情報を受信しなければステップＳ３０１に戻る。
【００３９】
（ステップＳ３０４）場所情報取得部１３０４は、ステップＳ３０３で受信した情報取得指示情報が有する携帯端末識別情報を取得する。
【００４０】
（ステップＳ３０５）場所情報取得部１３０４は、ステップＳ３０４で取得した携帯端末識別情報をキーとして、場所情報を検索する。場所情報は、ステップＳ３０２で蓄積した１以上の場所情報の中から検索される。
【００４１】
（ステップＳ３０６）場所情報送信部１３０５は、ステップＳ３０５で検索した１以上の場所情報を、第二情報処理装置１４に送信する。
【００４２】
（ステップＳ３０７）課金処理部１３０６は、ステップＳ３０６における場所情報の送信に対応して、課金処理を行う。課金処理の内容は、上述したように、種々ある。課金処理の具体例は、後述する。
【００４３】
次に、第二情報処理装置１４の動作について図４のフローチャートを用いて説明する。
【００４４】
（ステップＳ４０１）情報取得指示受付部１４０１は、情報取得指示情報を受け付けたか否かを判断する。情報取得指示情報を受け付ければステップＳ４０２に行き、情報取得指示情報を受け付けなければステップＳ４０１に戻る。
【００４５】
（ステップＳ４０２）情報取得指示送信部１４０２は、第一情報処理装置１３に、ステップＳ４０１で受け付けた情報取得指示情報を送信する。第一情報処理装置１３に情報を送信するための第一情報処理装置１３のＩＰアドレス等は、第二情報処理装置１４が予め保持していても、ユーザが指定しても良い。
【００４６】
（ステップＳ４０３）場所情報受信部１４０３は、ステップＳ４０２における情報取得指示情報の送信に対応して、場所情報を受信したか否かを判断する。場所情報を受信すればステップＳ４０４に行き、場所情報を受信しなければステップＳ４０３に戻る。なお、ステップＳ４０３では、１以上の場所情報を少なくとも受信する。
【００４７】
（ステップＳ４０４）場所情報出力部１４０４は、ステップＳ４０３で受信した１以上の場所情報を出力する。場所情報の出力態様は、問わない。
【００４８】
（ステップＳ４０５）編集指示受付部１４０５は、場所情報を含む情報（日記の情報）の編集指示の入力を受け付けたか否かを判断する。入力を受け付ければステップＳ４０６に行き、入力を受け付けなければステップＳ４０５に戻る。
【００４９】
（ステップＳ４０６）編集指示受付部１４０５は、処理の終了の入力を受け付けたか否かを判断する。処理の終了の入力を受け付ければステップＳ４０７に行き、処理の終了の入力を受け付けなければステップＳ４０８に飛ぶ。
【００５０】
（ステップＳ４０７）日記蓄積部１４０７は、場所情報を含む日記の情報を蓄積する。
【００５１】
（ステップＳ４０８）編集指示受付部１４０５は、日記の情報の編集の入力を受け付けたか否かを判断する。編集の入力を受け付ければステップＳ４０９に行き、編集の入力を受け付けなければステップＳ４０５に戻る。
【００５２】
（ステップＳ４０９）日記構成部１４０６は、ステップＳ４０８における入力を反映させて、日記の情報を更新する。更新した情報は、通常、主メモリ上にある。ステップＳ４０５に戻る。
【００５３】
なお、図４のフローチャートにおいて、日記の情報の蓄積は、終了指示により行ったが、蓄積の指示を受け付けた場合に、日記の情報の蓄積を行っても良い。また、通常、日記構成部１４０６は、日記を構成するひな型の情報を格納しており、受信した場所情報とひな型の情報から日記のたたき台を構成する。そして、編集指示受付部１４０５の編集指示を反映させて、最終的な日記を完成する。
【００５４】
以下、本実施の形態における情報処理システムの具体的な動作について説明する。情報処理システムの概念図は図１である。今、無線タグ付きの携帯電話（携帯端末１１）を保持しているユーザＡが、街中をぶらぶらしている。無線タグには、携帯端末識別情報「１２３４」が格納されている。
【００５５】
そして、街中に、無線タグリーダーを具備する設置端末１２が設置されている。そして、街中の設置端末１２は、設置端末１２が設置されている場所の情報、例えば、「地点Ａ」や「地点Ｂ」などの場所情報を保持している。そして、設置端末１２は、近づいた無線タグ付きの携帯電話から携帯端末識別情報を取得する。
【００５６】
今、ユーザＡは、携帯電話を保持しながら、「地点Ａ」や「地点Ｂ」等で識別される場所に、次々と移動する。かかる場合、「地点Ａ」で識別される場所に設置された設置端末１２は、携帯電話から携帯端末識別情報「１２３４」を取得し、保持している時計から時刻を取得する。そして、設置端末１２は、取得した携帯端末識別情報「１２３４」と時刻と、保持している場所情報に基づいて、図５に示すユーザ居場所情報を構成する。ユーザ居場所情報は、携帯端末識別情報と場所情報と時刻情報を有する。そして、「地点Ａ」で識別される場所に設置された設置端末１２は、図５のユーザ居場所情報を第一情報処理装置１３に送信する。
【００５７】
また、ユーザＡが、「地点Ｂ」で識別される場所に移動した場合は、「地点Ｂ」で識別される場所に設置された設置端末１２が、携帯電話から携帯端末識別情報「１２３４」を取得し、かつ時刻を取得し、携帯端末識別情報「１２３４」と場所情報「地点Ｂ」と時刻情報を有するユーザ居場所情報を構成し、第一情報処理装置１３に送信する。
【００５８】
さらに、ユーザＡが移動した地点に設置されている設置端末１２は、携帯電話から携帯端末識別情報「１２３４」を取得し、かつ時刻を取得し、携帯端末識別情報「１２３４」と当該設置端末１２が格納している場所情報と時刻情報を有するユーザ居場所情報を構成し、第一情報処理装置１３に送信する。
【００５９】
そして、第一情報処理装置１３は、各地点に設置された設置端末１２から１以上のユーザ居場所情報を受信し、蓄積する。ユーザ居場所情報を蓄積しているユーザ居場所情報管理表を図６に示す。ユーザ居場所情報管理表は、「ＩＤ」「携帯端末識別情報」「場所情報」「時刻情報」を有するレコードを１以上格納している。
【００６０】
次に、ユーザＡは、自宅に帰ってから、自宅にあるパソコン（第二情報処理装置１４）で日記を作成しようとする。かかる場合、ユーザＡは、日記を作成できるアプリケーションである日記帳アプリケーションを立ち上げる。そして、第二情報処理装置１４は、図７に示すような日記帳アプリケーションの初期画面を表示する。次に、ユーザＡは、図８に示すように、図７の初期画面に対して、携帯端末識別情報「１２３４」と日付「２００３／２／２０」を含む情報取得指示情報を入力し、「取得」ボタンをマウス等で指示（クリック）する。
【００６１】
次に、第二情報処理装置１４は、携帯端末識別情報「１２３４」と日付「２００３／２／２０」を含む情報取得指示情報を第一情報処理装置１３に送信する。
【００６２】
次に、第一情報処理装置１３は、携帯端末識別情報「１２３４」と日付「２００３／２／２０」を含む情報取得指示情報を受信する。次に、第一情報処理装置１３は、携帯端末識別情報「１２３４」と日付「２００３／２／２０」から、図６のユーザ居場所情報管理表から１以上の場所情報と時刻を検索する。つまり、第一情報処理装置１３は、図６のユーザ居場所情報管理表から「ＩＤ＝１」「ＩＤ＝２」「ＩＤ＝３」「ＩＤ＝４」の場所情報と時刻情報を取得する。第一情報処理装置１３が取得した情報を図９に示す。そして、第一情報処理装置１３は、図９の取得した情報（場所情報を含む情報）を第二情報処理装置１４に送信する。
【００６３】
次に、第二情報処理装置１４は図９の情報を受信する。そして、第二情報処理装置１４は、図９の情報（場所情報を含む情報）を出力する。ここで、第二情報処理装置１４が、出力する情報は、日記のひな型に対して受信した場所情報等を埋め込んだ情報であり、例えば、図１０に示すような情報である。図１０の情報は、通常、第二情報処理装置１４のディスプレイに表示される。なお、図１０において、図９の情報の「ＩＤ＝１」から「ＩＤ＝３」のレコードの情報が表示されている。また、スクロールすることにより、「ＩＤ＝４」の情報も表示される。
【００６４】
かかる図１０の画面は、以下の方法により表示される。まず、第二情報処理装置１４は、図１１に示す日記の枠組み（ひな型）の情報を保持している。そして、入力した日付「２００３／２／２０」を「日記」のフィールドに代入する。また、図示しない手段により、予め決められたホームページ（ＨＰ）から日付「２００３／２／２０」で識別される日の天気の情報「晴れ」を取得する。そして、取得した天気の情報「晴れ」を「天気」のフィールドに代入する。次に、第二情報処理装置１４は、第一情報処理装置１３から取得した図９に示す情報から、日記の本体部分の「時刻」「場所情報」を代入する。以上の処理により、図１０の画面が構成される。
【００６５】
次に、ユーザＡは、図１０の画面に対して、日記の本体の情報を構成する出来事などの情報を、キーボード等の入力手段を用いて入力する。ユーザＡが入力した日記の最終的な状態が、図１２である。そして、ユーザＡの指示により、日記帳アプリケーションが終了し、図１２の日記帳のデータが蓄積される。
【００６６】
さらに、第一情報処理装置１３は、ユーザＡの第二情報処理装置１４に対する場所情報の送信に対応して、課金処理部が第二情報処理装置（ユーザＡ）に対して課金処理する。第二情報処理装置（ユーザＡ）に対して課金処理するとは、例えば、課金料を算出し、当該課金料を携帯端末識別情報（または、第二情報処理装置のＩＰアドレスや別途入力されたユーザＡの識別情報等）と対応付けて、蓄積する処理等である。また、課金処理とは、銀行のサーバ装置に、課金料と携帯端末識別情報（または、第二情報処理装置のＩＰアドレスや別途入力されたユーザＡの識別情報等）を送信する処理でも良い。かかる場合、銀行のサーバ装置は、受信した情報に基づいて決済処理を行う。なお、例えば、課金料は、１回のアクセスごとに１０円加算される、という課金処理方法がある。また、課金料は、送信するデータ量に基づいて算出されても良い。その他、課金料の算出方法は、種々ある。
【００６７】
以上、本実施の形態によれば、ユーザが実際に移動した場所の情報を自動的に取得でき、後に、日記の作成などに当該情報を利用できる。また、データの利用に対して課金処理することにより、日記（移動）情報サービスのプロバイダーの運用が可能となる。
【００６８】
なお、本実施の形態によれば、第一情報処理装置１３が時刻情報を、場所情報と共に第二情報処理装置１４に送信した。しかし、第二情報処理装置１４が場所情報を受信した際に、受信した時刻を、場所情報と共に蓄積しても良い。かかることは、他の実施の形態においても同様である。
【００６９】
また、本実施の形態によれば、設置端末１２が保持している場所情報は、ＩＤや位置座標（ｘ，ｙ，ｚ）等であり、当該ＩＤや位置座標（ｘ，ｙ，ｚ）等から、実際の地名や地域や地点や住所などを示す場所情報を構成しても良い。当該ＩＤや位置座標（ｘ，ｙ，ｚ）等から、実際の地名や地域や地点や住所などを示す場所情報を構成する処理は、第一情報処理装置１３で行っても、第二情報処理装置１４で行っても、図示しない他の装置で行っても良い。かかることも、他の実施の形態においても同様である。
【００７０】
また、本実施の形態によれば、一の設置端末１２は、同一の携帯端末情報を一度しか取得しなかったが、２以上の同一の携帯端末情報を取得しても良い。一の設置端末１２が、例えば、連続的に２以上の同一の携帯端末情報を取得する場合、携帯端末１１を保持するユーザが、同一の場所に居た時間を測定できる。そして、日記の情報を構成する情報として、かかる同一の場所に居た時間の情報も、第一情報処理装置１３から第二情報処理装置１４に送信できる。同一の携帯端末情報で識別されるユーザが一の場所に居た時間を算出する処理は、設置端末で行っても、第一情報処理装置で行っても、第二情報処理装置で行っても、図示しない他の装置で行っても良い。つまり、第二情報処理装置は、場所情報出力部が出力する場所情報が示す場所に居た時間を示す時間情報をも出力すれば良い。かかることも、他の実施の形態においても同様である。
【００７１】
また、本実施の形態の具体例によれば、第二情報処理装置１４が受信して表示した場所情報や時刻情報をすべて利用して日記を構成したが、ユーザは、受信して表示した場所情報や時刻情報の中から日記の情報として残す場所情報や時刻情報を選択しても良い。また、ユーザは、受信して表示した場所情報や時刻情報を修正することも勿論可能である。つまり、第二情報処理装置は、情報取得指示情報の入力を受け付ける情報取得指示受付部と、情報取得指示情報を第一情報処理装置に送信する情報取得指示送信部と、情報取得指示情報の送信に対応して、第一情報処理装置から１以上の場所情報を受信する場所情報受信部と、場所情報受信部が受信した場所情報を出力する場所情報出力部と、場所情報出力部が出力した場所情報を修正する指示または／および場所情報を選択する指示または／および入力を受け付ける編集指示受付部と、編集指示受付部で受け付けた指示や入力に基づいて日記を構成する日記構成部と、日記構成部が構成した日記の情報を蓄積する日記蓄積部を具備する。
【００７２】
また、本実施の形態によれば、第二情報処理装置の編集指示受付部と日記構成部と日記蓄積部は、必須ではない。つまり、第二情報処理装置において、第一情報処理装置から場所情報等を受信する処理と、日記の情報を構成する処理を分離し、異なる装置で行っても良い。
【００７３】
また、本実施の形態によれば、場所情報などは、第二情報処理装置からの指示により、第一情報処理装置から第二情報処理装置に送信したが、第一情報処理装置から自動的に第二情報処理装置に送信しても良い。かかることは、他の実施の形態においても同様である。
【００７４】
また、本実施の形態によれば、第二情報処理装置は、第一情報処理装置を経由せずに、場所情報などを設置端末から受信しても良い。つまり、譲歩処理システムにおいて、第一情報処理装置は必須ではない。第二情報処理装置は、携帯端末識別情報で識別されるユーザが行った場所を示す情報である場所情報を、直接または間接に１以上受信し、当該１以上の場所情報を出力する構成であれば良い。また、第二情報処理装置は、さらに、上記出力した１以上の場所情報を修正する指示または／および場所情報を選択する指示または／および入力を受け付け、当該受け付けた指示や入力に基づいて日記を構成し、出力する構成でも良い。かかることは、他の実施の形態においても同様である。
【００７５】
また、本実施の形態によれば、第二情報処理装置と第一情報処理装置は直接に情報の送受信を行う必要はない。両装置間で情報を中継する中継装置が存在していても良い。
【００７６】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における第二情報処理装置を実現するソフトウェアは、以下のようなプログラムである。つまり、このプログラムは、コンピュータに、情報取得指示情報の入力を受け付ける情報取得指示受付ステップと、情報取得指示情報に対応して１以上の場所情報を受信する場所情報受信ステップと、場所情報受信ステップで受信した場所情報を出力する場所情報出力ステップを実行させるためのプログラムである。なお、上記プログラムは、場所情報出力ステップで出力した場所情報を修正する指示または／および場所情報を選択する指示または／および入力を受け付ける編集指示受付ステップと、編集指示受付ステップで受け付けた指示や入力に基づいて日記を構成する日記構成ステップと、日記構成ステップで構成した日記の情報を蓄積する日記蓄積ステップをさらに具備しても良い。
【００７７】
（実施の形態２）
本実施の形態における情報処理システム、２人以上が一緒に移動した場合に、２人以上が移動した記録を自動的に取得でき、かつ、日記等の作成に、当該情報を利用できる情報処理システムである。
【００７８】
図１３は、本実施の形態における情報処理システムのブロック図である。本情報処理システムは、携帯端末１１と、種々の場所に設置されている１以上の設置端末１３２と、第一情報処理装置１３と、第二情報処理装置１３４を有する。
【００７９】
設置端末１３２は、場所情報格納部１２０１、携帯端末識別情報受信部１３２０２、ユーザ居場所情報送信部１３２０３を具備する。
【００８０】
第二情報処理装置１３４は、情報取得指示受付部１４０１、情報取得指示送信部１４０２、場所情報受信部１３４０３、氏名情報格納部１３４０１、場所情報出力部１３４０４、編集指示受付部１４０５、日記構成部１４０６、日記蓄積部１４０７を具備する。
【００８１】
携帯端末識別情報受信部１３２０２は、２以上の携帯端末１１から２以上の携帯端末識別情報を受信する。携帯端末識別情報受信部１３２０２は、無線の通信手段が好適であるが、放送を受信する手段等でも実現可能である。また、携帯端末識別情報受信部１３２０２は、無線タグリーダー等でも実現可能である。
【００８２】
ユーザ居場所情報送信部１３２０３は、場所情報格納部１２０１に格納されている場所情報と携帯端末識別情報受信部１３２０２が受信した２以上携帯端末識別情報を有するユーザ居場所情報を第一情報処理装置１３に送信する。ユーザ居場所情報送信部１３２０３は、通常、無線または有線の通信手段で実現されるが、放送手段で実現されても良い。
【００８３】
氏名情報格納部１３４０１は、携帯端末識別情報と氏名を有する氏名レコード情報を１以上格納している。氏名レコード情報のデータ構造等は問わない。氏名情報格納部１３４０１は、不揮発性の記録媒体が好適であるが、揮発性の記録媒体でも実現可能である。
【００８４】
場所情報受信部１３４０３は、情報取得指示情報の送信に対応して、第一情報処理装置１３から１以上の場所情報と１以上の携帯端末識別情報等を受信する。なお、受信する１以上の携帯端末識別情報は、情報取得指示情報が有する携帯端末識別情報が含まれていても、含まれていなくても良い。場所情報受信部１３４０３は、通常、無線または有線の通信手段で実現されるが、放送手段で実現されても良い。場所情報受信部１３４０３と情報取得指示送信部１４０２は、通常、一の物理的手段で実現され得る。
【００８５】
場所情報出力部１３４０４は、場所情報受信部１３４０３が受信した１以上の携帯端末識別情報に対応する氏名を氏名情報格納部１３４０１から取得する。次に、場所情報出力部１３４０４は、当該取得した氏名と、場所情報受信部１３４０３が受信した場所情報等を出力する。なお、出力する氏名は、２以上でも良い。場所情報出力部１３４０４は、ディスプレイやスピーカー等の出力デバイスを含むと考えても含まないと考えても良い。場所情報出力部１３４０４は、出力デバイスのドライバーソフトまたは、出力デバイスのドライバーソフトと出力デバイス等で実現され得る。
【００８６】
以下、本情報処理システムの動作について説明する。まず、携帯端末１１と第一情報処理装置１３の動作については説明済みである。次に、設置端末１３２の動作について図１４のフローチャートを用いて説明する。
【００８７】
（ステップＳ１４０１）図示しないタイマーを０にする。なお、タイマーは、処理とは独立に進む。
【００８８】
（ステップＳ１４０２）携帯端末識別情報受信部１３２０２は、携帯端末識別情報を受信したか否かを判断する。ここで、携帯端末識別情報受信部１３２０２が受信する携帯端末識別情報は、１つずつであるとする。携帯端末識別情報を受信すればステップＳ１４０３に行き、携帯端末識別情報を受信しなければステップＳ１４０４に飛ぶ。
【００８９】
（ステップＳ１４０３）携帯端末識別情報受信部１３２０２は、ステップＳ１４０２で受信した携帯端末識別情報を一時蓄積する。ステップＳ１４０１に戻る。
【００９０】
（ステップＳ１４０４）タイマーが一定時間以上、進んでいるか否かを判断する。タイマーが一定時間以上進んでいればステップＳ１４０５に行き、タイマーが一定時間以上進んでいなければステップＳ１４０２に戻る。
【００９１】
（ステップＳ１４０５）ユーザ居場所情報送信部１３２０３は、携帯端末識別情報が一時蓄積されているか否かを判断する。携帯端末識別情報が一時蓄積されていればステップＳ１４０６に行き、携帯端末識別情報が一時蓄積されていなければステップＳ１４０１に戻る。
【００９２】
（ステップＳ１４０６）ユーザ居場所情報送信部１３２０３は、一時蓄積されている、すべての携帯端末識別情報を取得する。
【００９３】
（ステップＳ１４０７）ユーザ居場所情報送信部１３２０３は、現在時刻を示す情報である時刻情報を取得する。ユーザ居場所情報送信部１３２０３は、時計を内蔵している、とする。
【００９４】
（ステップＳ１４０８）ユーザ居場所情報送信部１３２０３は、環境情報を取得する。環境情報とは、ユーザ（設置端末１３２）が存在する場所の環境に関する情報である。環境情報は、例えば、その場所の天気や、その場所を説明する情報や、その場所の地図情報等である。ユーザ居場所情報送信部１３２０３が環境情報を取得する方法は問わない。環境情報は予め設置端末１３２が保持していても良い。ユーザ居場所情報送信部１３２０３は、インターネットのホームページから環境情報を取得しても良い。かかる態様は、実施の形態１で説明した。
【００９５】
（ステップＳ１４０９）ユーザ居場所情報送信部１３２０３は、場所情報格納部１２０１の場所情報を取得する。
【００９６】
（ステップＳ１４１０）ユーザ居場所情報送信部１３２０３は、ステップＳ１４０６で取得した１以上の携帯端末識別情報、ステップＳ１４０７で取得した時刻情報、ステップＳ１４０８で取得した環境情報、およびステップＳ１４０９で取得した場所情報から、ユーザ居場所情報を構成する。
【００９７】
（ステップＳ１４１１）ユーザ居場所情報送信部１３２０３は、ステップＳ１４１０で構成したユーザ居場所情報を送信する。ステップＳ１４０１に戻る。
【００９８】
なお、図１４のフローチャートにおいて、電源オフや処理終了の割り込みにより処理は終了する。
【００９９】
次に、第二情報処理装置１３４の動作について図１５のフローチャートを用いて説明する。
【０１００】
（ステップＳ１５０１）情報取得指示受付部１４０１は、情報取得指示情報を受け付けたか否かを判断する。情報取得指示情報を受け付ければステップＳ１５０２に行き、情報取得指示情報を受け付けなければステップＳ１５０１に戻る。
【０１０１】
（ステップＳ１５０２）情報取得指示送信部１４０２は、第一情報処理装置１３に、ステップＳ４０１で受け付けた情報取得指示情報を送信する。第一情報処理装置１３に情報を送信するための第一情報処理装置１３のＩＰアドレス等は、予め保持していても指定しても良い。
【０１０２】
（ステップＳ１５０３）場所情報受信部１３４０３は、ステップＳ１５０２における情報取得指示情報の送信に対応して、場所情報等を受信したか否かを判断する。場所情報等を受信すればステップＳ１５０４に行き、場所情報等を受信しなければステップＳ１５０３に戻る。なお、ステップＳ１５０３では、１以上の場所情報、携帯端末識別情報、時刻情報、環境情報の組を１組以上、少なくとも受信する。なお、携帯端末識別情報は１以上、存在し得る。
【０１０３】
（ステップＳ１５０４）場所情報出力部１３４０４は、カウンタｉに１を代入する。
【０１０４】
（ステップＳ１５０５）場所情報出力部１３４０４は、ステップＳ１５０３で受信した場所情報等の中に、ｉ番目の場所情報等が存在するか否かを判断する。ｉ番目の場所情報等が存在すればステップＳ１５０６に行き、ｉ番目の場所情報等が存在しなければステップＳ１５１５に飛ぶ。
【０１０５】
（ステップＳ１５０６）場所情報出力部１３４０４は、カウンタｊに１を代入する。
【０１０６】
（ステップＳ１５０７）場所情報出力部１３４０４は、ｉ番目の場所情報等の中に、ｊ番目の携帯端末識別情報が存在するか否かを判断する。ｊ番目の携帯端末識別情報が存在すればステップＳ１５０８に行き、ｊ番目の携帯端末識別情報が存在しなければステップＳ１５１３に飛ぶ。
【０１０７】
（ステップＳ１５０８）場所情報出力部１３４０４は、ｊ番目の携帯端末識別情報に対応する氏名の情報を氏名情報格納部１３４０１から取得する。ここで、氏名情報の取得ができない場合もある。
【０１０８】
（ステップＳ１５０９）場所情報出力部１３４０４は、ステップＳ１５０８で、氏名情報の取得ができたか否かを判断する。氏名情報の取得ができればステップＳ１５１０に行き、氏名情報の取得ができなければステップＳ１５１２に飛ぶ。
【０１０９】
（ステップＳ１５１０）場所情報出力部１３４０４は、ｊ番目の携帯端末識別情報を、ステップＳ１５０８で取得した氏名情報に置き換える。
【０１１０】
（ステップＳ１５１１）場所情報出力部１３４０４は、ｊを１インクリメントする。ステップＳ１５０７に戻る。
【０１１１】
（ステップＳ１５１２）場所情報出力部１３４０４は、ｊ番目の携帯端末識別情報を削除する。ステップＳ１５１１に行く。
【０１１２】
（ステップＳ１５１３）場所情報出力部１３４０４は、携帯端末識別情報を氏名情報等に書き換えたｉ番目の場所情報等を一時格納する。
【０１１３】
（ステップＳ１５１４）場所情報出力部１３４０４は、ｉを１インクリメントする。ステップＳ１５０５に戻る。
【０１１４】
（ステップＳ１５１５）日記を構成する枠組みの情報を取得する。なお、日記を構成する枠組みの情報は、予め場所情報出力部１３４０４が保持している。
【０１１５】
（ステップＳ１５１６）場所情報出力部１３４０４は、ステップＳ１５１５で取得した日記を構成する枠組みの情報に、ステップＳ１５１３で一時格納した１以上の場所情報等を合成し、日記情報を構成する。
【０１１６】
（ステップＳ１５１７）場所情報出力部１３４０４は、ステップＳ１５１６で構成した日記情報を出力する。なお、日記情報の出力態様は、問わない。
【０１１７】
（ステップＳ１５１８）編集指示受付部１４０５は、ステップＳ１５１７で出力した日記情報の編集指示の入力を受け付けたか否かを判断する。入力を受け付ければステップＳ１５１９に行き、入力を受け付けなければステップＳ１５１８に戻る。
【０１１８】
（ステップＳ１５１９）編集指示受付部１４０５は、処理の終了の入力を受け付けたか否かを判断する。処理の終了の入力を受け付ければステップＳ１５２０に行き、処理の終了の入力を受け付けなければステップＳ１５２１に飛ぶ。
【０１１９】
（ステップＳ１５２０）日記蓄積部１４０７は、日記情報を蓄積する。
【０１２０】
（ステップＳ１５２１）編集指示受付部１４０５は、日記情報の編集の入力を受け付けたか否かを判断する。編集の入力を受け付ければステップＳ１５２２に行き、編集の入力を受け付けなければステップＳ１５１８に戻る。
【０１２１】
（ステップＳ１５２２）日記構成部１４０６は、ステップＳ１５２における入力を反映させて、日記情報を更新する。更新した情報は、通常、主メモリ上にある。ステップＳ１５１８に戻る。
【０１２２】
なお、図１５のフローチャートにおいて、日記情報の蓄積は、終了指示により行ったが、蓄積の指示を受け付けた場合に、日記情報の蓄積を行っても良い。
【０１２３】
以下、本実施の形態における情報処理システムの具体的な動作について説明する。情報処理システムの概念図は図１６である。Ａ子とＢ子は、友人で京都を旅行している。そして、Ａ子とＢ子は、ＩＣカードを保持している。このＩＣカードは、携帯端末１１である。つまり、携帯端末１１に携帯端末識別情報送信部は必須ではなく、携帯端末１１は、個人を識別する情報（携帯端末識別情報）を、設置端末１３２に読み取られる形態でも良い。Ａ子が保持するＩＣカードには、「２２３３」という携帯端末識別情報が格納されている。Ｂ子が保持するＩＣカードには、「５６７８」という携帯端末識別情報が格納されている。
【０１２４】
また、Ａ子とＢ子は、京都の有名な寺院を、いくつか回る旅行をしている。さらに、京都の有名な寺院には、設置端末１３２が置かれている。設置端末１３２は、非接触のＩＣカードリーダーを具備する。
【０１２５】
また、第二情報処理装置１３４は、図１７に示す氏名情報管理表を保持している。氏名情報管理表は、「ＩＤ」「携帯端末識別情報」「氏名情報」を有するレコードを１以上格納している。「ＩＤ」は、レコードを識別する情報であり、表管理上の要請のために存在する。「氏名情報」は、「携帯端末識別情報」に対応する氏名を示す情報である。つまり、携帯端末識別情報「２２３３」で識別される者は、「Ｘ山Ａ子」である。
【０１２６】
かかる状況において、Ａ子とＢ子は、設置端末１３２が置いてある寺院１、寺院２・・・寺院ｎを順に、観光した、とする。
【０１２７】
そして、寺院１、寺院２・・・寺院ｎの設置端末１３２は、Ａ子とＢ子のＩＣカード（携帯端末１１）から携帯端末識別情報を読み取る。そして、各設置端末１３２は、その時の時刻、場所情報、環境情報、およびＡ子の携帯端末識別情報、Ｂ子の携帯端末識別情報からユーザ居場所情報を構成する。なお、ここで環境情報とは、温度、天気、および当該場所の説明を有する。ここでは、設置端末１３２は、温度計を保持している。また、設置端末１３２は、実施の形態１同様、天気情報をホームページから取得する。さらに、設置端末１３２は、予め当該場所の説明を格納している。なお、設置端末１３２は、一定時間内に読み取れた１以上の携帯端末識別情報等からユーザ居場所情報を構成する。
【０１２８】
図１８は、ユーザ居場所情報の例である。このユーザ居場所情報は、寺院１に設置されている設置端末１３２が構成した情報である。ユーザ居場所情報は、「携帯端末識別情報の数」「携帯端末識別情報」「場所情報」「時刻情報」「温度情報」「天気情報」「場所の説明」を有する。「場所の説明」は、場所に関する説明の情報である。ここでは、「温度情報」「天気情報」「場所の説明」を「環境情報」とする。ただし、「環境情報」は他の情報を含んでも良い。
【０１２９】
そして、寺院１に設置されている設置端末１３２は、図１８のユーザ居場所情報を構成し、第一情報処理装置１３に送信する。
【０１３０】
また、Ａ子とＢ子は、寺院２、・・・寺院ｎと観光のために、移動する、とする。かかる場合、各寺院の設置端末１３２は、ユーザ居場所情報を構成し、第一情報処理装置１３に送信する。
【０１３１】
次に、第一情報処理装置１３は、次々と１以上の設置端末１３２からユーザ居場所情報を受信し、蓄積する。図１９は、ユーザ居場所情報管理表である。ユーザ居場所情報管理表は、第一情報処理装置１３が蓄積した１以上のユーザ居場所情報を格納している。
【０１３２】
次に、Ａ子は、図２０に示すように、第二情報処理装置１３４を用いて場所情報等を取得する、とする。つまり、Ａ子は、第二情報処理装置１３４を用いて、日記帳アプリケーションを立ち上げ、図２０に示すように、自身の携帯端末識別情報「２２３３」と、取得したい情報の日付、ここでは「２００３／２／２１」を入力する。そして、Ａ子は、取得ボタンを押下する。
【０１３３】
次に、第二情報処理装置１３４は、携帯端末識別情報「２２３３」と日付「２００３／２／２１」を有する情報取得指示情報を第一情報処理装置１３に送信する。
【０１３４】
次に、第一情報処理装置１３は、上記情報取得指示情報を受信し、携帯端末識別情報の中に「２２３３」を有し、かつ、時刻情報の中の日付が「２００３／２／２１」であるレコードを検索する。そして、第一情報処理装置１３は、図１９の「ＩＤ＝１」「ＩＤ＝４」「ＩＤ＝ｎ」のレコードを取得する。そして、第一情報処理装置１３は、「ＩＤ＝１」「ＩＤ＝４」「ＩＤ＝ｎ」のレコードを第二情報処理装置１３４に送信する。
【０１３５】
次に、第二情報処理装置１３４は、図２１に示す情報を受信する。そして、第二情報処理装置１３４は、まず、図２１の「ＩＤ＝１」のレコードを処理する。つまり、「ＩＤ＝１」のレコードから入力した「２２３３」以外の携帯端末識別情報「５６７８」を取得する。そして、第二情報処理装置１３４は、携帯端末識別情報「５６７８」をキーとして、図１７の氏名情報管理表を検索する。そして、第二情報処理装置１３４は、氏名情報「Ｚ川Ｂ子」を取得する。そして、図２１の「ＩＤ＝１」のレコードの携帯端末識別情報の「５６７８」を氏名情報「Ｚ川Ｂ子」に書き換える。そして、第二情報処理装置１３４は、図２２の第一のレコードを得る。
【０１３６】
次に、第二情報処理装置１３４は、図２１の「ＩＤ＝２」のレコードを処理する。つまり、「ＩＤ＝２」のレコードから入力した「２２３３」以外の携帯端末識別情報「５６７８」「１２３４」「５５８８」を取得する。そして、第二情報処理装置１３４は、携帯端末識別情報「５６７８」「１２３４」「５５８８」に対応する氏名情報を、図１７の氏名情報管理表から検索する。第二情報処理装置１３４は、携帯端末識別情報「５６７８」に対応する氏名情報のみ格納していることから、携帯端末識別情報「５６７８」に対応する氏名情報「Ｚ川Ｂ子」のみを取得する。そして、上記と同様に、第二情報処理装置１３４は、図２２の第ニのレコードを得る。そして、同様に、第二情報処理装置１３４は、図２２の最終レコードを得る。
【０１３７】
次に、第二情報処理装置１３４は、図２３に示す日記帳のひな型を取得する。日記帳のひな型は、予め第二情報処理装置１３４が格納している。そして、第二情報処理装置１３４は、図２３に示す日記帳のひな型に、図２２の情報を挿入し、図２４に示す日記情報を構成する。図２４の日記情報は、ユーザが編集する前の日記情報である。
【０１３８】
次に、Ａ子は、第二情報処理装置１３４のキーボード等を用いて、図２４に示す日記情報を編集する。編集は、テキストの挿入、削除、イメージや動画の貼り付けなど、何でも良い。また、取得した情報（レコード）を削除しても良い。そして、Ａ子の指示により、第二情報処理装置１３４は、日記情報を蓄積して、終了する。
【０１３９】
なお、実施の形態１と同様に、第一情報処理装置は、第二情報処理装置への場所情報等の送信に対応して、課金処理部が第二情報処理装置（そのユーザ）に対して課金処理する。
【０１４０】
以上、本実施の形態によれば、複数人で行動を共にした情報を自動的に取得でき、日記情報等として利用できる。
【０１４１】
なお、本実施の形態によれば、携帯端末識別情報から氏名情報への変換は、第二情報処理装置１３４が行ったが、第一情報処理装置１３や設置端末１３２が行っても良い。また、携帯端末識別情報が氏名を示す情報であっても良い。かかる場合、携帯端末識別情報から氏名情報への変換処理は必要がない。かかることは、他の実施の形態においても同様である。
【０１４２】
また、本実施の形態によれば、一定時間内に取得された携帯端末識別情報を、設置端末１３２は一度に送信したが、設置端末が、予め条件に合致する２以上の携帯端末識別情報を用いてユーザ居場所情報を構成し、かかるユーザ居場所情報を第一情報処理装置に送信しても良い。かかる場合、送信する２以上の携帯端末識別情報についての条件は、設置端末が保持しているが、かかる条件は、第一情報処理装置が保持していても良い。つまり、ユーザは、予め、自分と友人や恋人の携帯端末識別情報を第一情報処理装置に申請し、第一情報処理装置は、かかる２以上の携帯端末識別情報を登録する。そして、第一情報処理装置は、登録した２以上の携帯端末識別情報を含むユーザ居場所情報を受信した場合のみ、蓄積したり、該当する場所情報等を第二情報処理装置に送信したりしても良い。つまり、第二情報処理装置は、場所情報出力部が出力する場所情報が示す場所に一緒に居た者を識別する情報を出力できれば、その手段、手順等は問わない。かかる処理により、プライバシーが担保されるという効果が生ずる。
【０１４３】
（実施の形態３）
本実施の形態において、設置端末は、動画情報も取得し、動画付きの日記が自動的に取得できるシステムである。
【０１４４】
図２５は、本実施の形態における情報処理システムの概念図である。情報処理システムは、ユーザが携帯して使用する携帯端末１１と、街中等に設置されている１以上の設置端末２５２と、第一情報処理装置２５３と、第二情報処理装置２５４を有する。ここでは、携帯端末１１は、指輪の形状を有し、当該指輪は携帯端末識別情報を、例えば、常時、送信している。携帯端末１１は、近距離無線通信手段を具備する。なお、携帯端末１１は、ネックレスなど、携帯するものであれば何でも良い。
【０１４５】
図２６は、本実施の形態における情報処理システムのブロック図である。設置端末２５２は、場所情報格納部１２０１、携帯端末識別情報受信部１２０２、映像取得部２５２０１、ユーザ居場所情報送信部２５２０２を具備する。
【０１４６】
第一情報処理装置２５３は、ユーザ居場所情報受信部２５３０１、ユーザ居場所情報蓄積部２５３０２、情報取得指示受信部１３０３、映像取得部２５３０４、映像送信部２５３０５、課金処理部１３０６を具備する。
【０１４７】
第二情報処理装置２５４は、情報取得指示受付部１４０１、情報取得指示送信部１４０２、映像受信部２５４０３、映像出力部２５４０４、編集指示受付部２５４０５、日記構成部２５４０６、日記蓄積部２５４０７を具備する。
【０１４８】
映像取得部２５２０１は、携帯端末識別情報受信部１２０２が携帯端末識別情報を受信した場合に、映像を取得する。映像取得部２５２０１は、カメラで構成される。なお、映像取得部２５２０１は、音声を取得しても良い。
【０１４９】
ユーザ居場所情報送信部２５２０２は、映像取得部２５２０１が取得した映像と、携帯端末識別情報受信部１２０２が受信した１以上の携帯端末識別情報と、場所情報格納部１２０１の場所情報を有するユーザ居場所情報を第一情報処理装置２５３に送信する。なお、ユーザ居場所情報は、場所情報を含まなくても良い。ユーザは、映像を見れば、場所が分かるからである。ユーザ居場所情報送信部２５２０２は、通常、無線または有線の通信手段で実現されるが、放送手段で実現されても良い。
【０１５０】
ユーザ居場所情報受信部２５３０１は、ユーザ居場所情報を１以上の設置端末から受信する。ユーザ居場所情報受信部２５３０１は、通常、無線または有線の通信手段で実現されるが、放送を受信する手段で実現されても良い。
【０１５１】
ユーザ居場所情報蓄積部２５３０２は、ユーザ居場所情報受信部２５３０１が受信したユーザ居場所情報を蓄積する。ユーザ居場所情報蓄積部２５３０２がユーザ居場所情報を蓄積する記録媒体は、内蔵のものでも外付けのものでも良い。ユーザ居場所情報蓄積部２５３０２は、通常、ＭＰＵやメモリ等から実現され得る。ユーザ居場所情報蓄積部２５３０２が情報を蓄積するための処理手順は、通常、ソフトウェアで実現され、当該ソフトウェアはＲＯＭ等の記録媒体に記録されている。但し、ハードウェア（専用回路）で実現しても良い。
【０１５２】
映像取得部２５３０４は、情報取得指示情報が有する携帯端末識別情報に基づいて１以上の映像を取得する。また、ここでは、映像取得部２５３０４は、携帯端末識別情報に基づいて携帯端末識別情報と場所情報も取得する。とする。映像取得部２５３０４は、通常、ＭＰＵやメモリ等から実現され得る。映像取得部２５３０４が情報を取得するための処理手順は、通常、ソフトウェアで実現され、当該ソフトウェアはＲＯＭ等の記録媒体に記録されている。但し、ハードウェア（専用回路）で実現しても良い。
【０１５３】
映像送信部２５３０５は、映像取得部が取得した１以上の映像等を第二情報処理装置２５４に送信する。なお、ここでは、映像送信部２５３０５は、携帯端末識別情報と場所情報も送信する。映像送信部２５３０５は、通常、無線または有線の通信手段で実現されるが、放送を受信する手段で実現されても良い。
【０１５４】
映像受信部２５４０３は、情報取得指示情報の送信に対応して、第一情報処理装置２５３から１以上の映像と携帯端末識別情報と場所情報を受信する。映像受信部２５４０３は、通常、無線または有線の通信手段で実現されるが、放送手段で実現されても良い。映像受信部２５４０３と情報取得指示送信部１４０２は、通常、一の物理的手段で実現され得る。
【０１５５】
映像出力部２５４０４は、映像受信部２５４０３が受信した映像、携帯端末識別情報および場所情報を出力する。映像出力部２５４０４は、ディスプレイやスピーカー等の出力デバイスを含むと考えても含まないと考えても良い。映像出力部２５４０４は、出力デバイスのドライバーソフトまたは、出力デバイスのドライバーソフトと出力デバイス等で実現され得る。
【０１５６】
編集指示受付部２５４０５は、映像出力部２５４０４が出力した映像や携帯端末識別情報や場所情報を修正する指示または／および映像等を選択する指示または／および入力を受け付ける。編集指示受付部２５４０５は、通常、情報取得指示受付部１４０１と同一の手段で実現される。
【０１５７】
日記構成部２５４０６は、編集指示受付部２５４０５で受け付けた指示や入力に基づいて日記を構成する。日記構成部２５４０６は、通常、動画編集の機能を有する。日記構成部２５４０６が日記を構成するアルゴリズムは問わない。また、日記のデータ構造も問わない。日記構成部２５４０６は、通常、ＭＰＵやメモリ等から実現され得る。日記構成部２５４０６が情報を構成するための処理手順は、通常、ソフトウェアで実現され、当該ソフトウェアはＲＯＭ等の記録媒体に記録されている。但し、ハードウェア（専用回路）で実現しても良い。
【０１５８】
日記蓄積部２５４０７は、日記構成部２５４０６が構成した日記の情報を蓄積する。日記蓄積部２５４０７が日記の情報を蓄積する記録媒体は、内蔵のものでも外付けのものでも良い。日記蓄積部２５４０７は、通常、ＭＰＵやメモリ等から実現され得る。日記蓄積部２５４０７が情報を蓄積するための処理手順は、通常、ソフトウェアで実現され、当該ソフトウェアはＲＯＭ等の記録媒体に記録されている。但し、ハードウェア（専用回路）で実現しても良い。
【０１５９】
以下、本情報処理システムの動作について説明する。まず、携帯端末１１の動作について説明する。携帯端末１１は、例えば、近距離無線通信手段を具備しており、格納している携帯端末識別情報を、常時、設置端末２５２に向けて送信する。設置端末２５２は、一定の範囲に入った携帯端末１１から携帯端末識別情報を取得する。
【０１６０】
次に、設置端末２５２の動作について説明する。設置端末２５２は、携帯端末識別情報を受信した場合、一定時間以内に受信した１以上の携帯端末識別情報と、場所情報と、映像を有するユーザ居場所情報を構成し、当該ユーザ居場所情報を第一情報処理装置２５３に送信する。なお、設置端末２５２は、常時、映像を取得していても良いし、携帯端末識別情報の受信をトリガーとして、映像を取得する（カメラを回す）動作を行っても良い。
【０１６１】
次に、第一情報処理装置２５３の動作について図２７のフローチャートを用いて説明する。
【０１６２】
（ステップＳ２７０１）ユーザ居場所情報受信部１３０１は、設置端末２５２からユーザ居場所情報を受信したか否かを判断する。ユーザ居場所情報を受信すればステップＳ２７０２に行き、ユーザ居場所情報を受信しなければステップＳ２７０３に飛ぶ。
【０１６３】
（ステップＳ２７０２）ユーザ居場所情報蓄積部１３０２は、ステップＳ２７０１で受信したユーザ居場所情報を蓄積する。ステップＳ２７０１に戻る。
【０１６４】
（ステップＳ２７０３）情報取得指示受信部１３０３は、第二情報処理装置２５４から情報取得指示情報を受信したか否かを判断する。情報取得指示情報を受信すればステップＳ２７０４、情報取得指示情報を受信しなければステップＳ２７０１に戻る。
【０１６５】
（ステップＳ２７０４）映像取得部２５３０４は、ステップＳ２７０３で受信した情報取得指示情報が有する携帯端末識別情報を取得する。
【０１６６】
（ステップＳ２７０５）映像取得部２５３０４は、ステップＳ２７０４で取得した携帯端末識別情報をキーとして、映像等を検索する。映像等は、ステップＳ２７０２で蓄積した１以上のユーザ居場所情報の中から検索される。
【０１６７】
（ステップＳ２７０６）映像送信部２５３０５は、ステップＳ２７０５で検索した１以上の映像等を、第二情報処理装置２５４に送信する。
【０１６８】
（ステップＳ２７０７）課金処理部１３０６は、ステップＳ２７０６における映像等の送信に対応して、課金処理を行う。ステップＳ２７０１に戻る。なお、課金処理の内容は、上述した。
【０１６９】
なお、図２７のフローチャートにおいて、電源オフや処理終了の割り込みにより処理は終了する。
【０１７０】
次に、第二情報処理装置２５４の動作について図２８のフローチャートを用いて説明する。
【０１７１】
（ステップＳ２８０１）情報取得指示受付部１４０１は、情報取得指示情報を受け付けたか否かを判断する。情報取得指示情報を受け付ければステップＳ２８０２に行き、情報取得指示情報を受け付けなければステップＳ２８０１に戻る。
【０１７２】
（ステップＳ２８０２）情報取得指示送信部１４０２は、第一情報処理装置２５３に、ステップＳ２８０１で受け付けた情報取得指示情報を送信する。第一情報処理装置２５３に情報を送信するための第一情報処理装置２５３のＩＰアドレス等は、予め保持していても指定しても良い。
【０１７３】
（ステップＳ２８０３）映像受信部２５４０３は、ステップＳ２８０２における情報取得指示情報の送信に対応して、映像等を受信したか否かを判断する。映像等を受信すればステップＳ２８０４に行き、映像等を受信しなければステップＳ２８０３に戻る。なお、ステップＳ２８０３では、１以上の映像等を少なくとも受信する。
【０１７４】
（ステップＳ２８０４）映像出力部２５４０４は、ステップＳ２８０３で受信した１以上の映像等を出力する。映像等の出力態様は、問わない。
【０１７５】
（ステップＳ２８０５）編集指示受付部２５４０５は、映像を含む情報（場所情報等を含む日記の情報）の編集指示の入力を受け付けたか否かを判断する。入力を受け付ければステップＳ２８０６に行き、入力を受け付けなければステップＳ２８０５に戻る。
【０１７６】
（ステップＳ２８０６）編集指示受付部２５４０５は、処理の終了の入力を受け付けたか否かを判断する。処理の終了の入力を受け付ければステップＳ２８０７に行き、処理の終了の入力を受け付けなければステップＳ２８０８に飛ぶ。
【０１７７】
（ステップＳ２８０７）日記蓄積部２５４０７は、映像を含む日記の情報を蓄積する。処理を終了する。
【０１７８】
（ステップＳ２８０８）編集指示受付部１４０５は、日記の情報の編集の入力を受け付けたか否かを判断する。編集の入力を受け付ければステップＳ２８０９に行き、編集の入力を受け付けなければステップＳ２８０５に戻る。
【０１７９】
（ステップＳ２８０９）日記構成部２５４０６は、ステップＳ２８０８における入力を反映させて、日記の情報を更新する。更新した情報は、通常、主メモリ上にある。ステップＳ２８０５に戻る。
【０１８０】
なお、図２８のフローチャートにおいて、日記の情報の蓄積は、終了指示により行ったが、蓄積の指示を受け付けた場合に、日記の情報の蓄積を行っても良い。また、通常、日記構成部１４０６は、日記を構成するひな型の情報を格納しており、受信した場所情報とひな型の情報から日記のたたき台（未完成な日記情報）を構成する。そして、編集指示受付部１４０５の編集指示を反映させて、最終的な日記を完成する。
【０１８１】
以下、本実施の形態における情報処理システムの具体的な動作について説明する。情報処理システムの概念図は図２５である。また、携帯端末１１である指輪は、携帯端末識別情報として指輪の持ち主の氏名の情報を保持しており、指輪は、近距離無線通信手段により、常時、携帯端末識別情報を発信している。
【０１８２】
また、設置端末２５２は、カメラを具備し、常時、設置端末２５２が設置されている周辺を撮影し、携帯端末識別情報を受信した場合に、一定時間の間に受信した１以上の携帯端末識別情報と、一定時間の映像と場所情報を有するユーザ居場所情報を第一情報処理装置２５３に送信する。なお、場所情報は、設置端末２５２が予め保持している。設置端末２５２が第一情報処理装置２５３に送信するユーザ居場所情報の例を図２９に示す。ユーザ居場所情報は、「携帯端末識別情報の数」「携帯端末識別情報」「場所情報」「映像」を有する。「携帯端末識別情報の数」は、設置端末２５２が一定時間の間に受信した携帯端末識別情報の数である。「携帯端末識別情報」は、一定時間の間に受信した１以上の携帯端末識別情報である。
【０１８３】
次に、設置端末２５２は、ユーザ居場所情報を第一情報処理装置２５３に送信する。設置端末２５２は、連続的に、ユーザ居場所情報を構成し、ユーザ居場所情報を第一情報処理装置２５３に送信する。
【０１８４】
次に、第一情報処理装置２５３は、ユーザ居場所情報を連続的に受信し、蓄積する。第一情報処理装置２５３が連続的に受信し、蓄積したユーザ居場所情報は、ユーザ居場所情報管理表に格納される。ユーザ居場所情報管理表の例を図３０に示す。図３０のユーザ居場所情報管理表は、「ＩＤ」「携帯端末識別情報」「場所情報」「日付」「時刻」「映像」を有するレコードを１以上格納している。「日付」「時刻」は、第一情報処理装置２５３がユーザ居場所情報を受信した日、時刻であり、第一情報処理装置２５３がユーザ居場所情報に付加して、レコードを構成し、蓄積したものである。なお、第一情報処理装置２５３は、例えば、プロバイダーが運営するサーバ装置である。つまり、プロバイダーは、日記作成支援を行うサービスを運用している、とする。
【０１８５】
次に、「山田次郎」さんは、家のパソコンである第二情報処理装置２５４から、「山田次郎」を携帯端末識別情報に含むレコードを、第一情報処理装置２５３の図３０のユーザ居場所情報管理表から取得する。「山田次郎」さんが、上記のレコードを取得するための操作、および第一情報処理装置２５３ユーザインターフェイスは問わない。第一情報処理装置２５３から、自動的に、上記のレコードが「山田次郎」さんの第二情報処理装置２５４に送信されても良いし、「山田次郎」さんが「山田次郎」という携帯端末識別情報を入力することにより、第一情報処理装置２５３から上記のレコードを取得しても良い。
【０１８６】
今、第二情報処理装置２５４は、図３１に示すように、３つのレコードを、第一情報処理装置２５３から取得した、とする。
【０１８７】
かかる場合、第二情報処理装置２５４は、図３１に示す３つのレコードから図３２に示す未完成の日記情報を構成し、表示する。第二情報処理装置２５４は、予め、日記を構成する文章のひな型「〜と・・・に行った。」を保持しており、「〜」に、自分の携帯端末識別情報を除く、他の携帯端末識別情報を挿入し、「・・・」に受信した場所情報を挿入する。そして、図３２に示すように、日記の右側に、受信した動画情報を貼り付ける。以上の処理により、第二情報処理装置２５４は、図３２に示す未完成の日記情報を構成する。
【０１８８】
そして、「山田次郎」さんは、第二情報処理装置２５４から、日記を完成させるために、表示されている文章を修正、削除する。また、動画の下にある「編集」ボタンを押下して、動画編集を行う。動画編集により、必要な動画または静止画が切り出され、日記情報として蓄積され得る。なお、動画編集の技術は、既存技術であるので、ここでの詳細な説明は省略する。そして、図３３に示すような日記情報が完成し、蓄積される。なお、図３３において、取得した携帯端末識別情報である「井上一郎」が削除されている。これは、設置端末２５２は、一定時間以内に取得した携帯端末識別情報を同時に第一情報処理装置２５３に送信するため、ユーザにとって一緒に観光に行っていない者の携帯端末識別情報も入り得る。しかし、ユーザは、日記の情報を編集することにより、自由に思いの日記を構成できる。なお、第一情報処理装置２５３や第二情報処理装置２５４において、予め設定された携帯端末識別情報のみを送信、出力しても良い。かかる処理を行えば、プライバシーの侵害を防止できる。
【０１８９】
以上、本実施の形態によれば、映像を含む情報を、自動的に取得し、日記情報等として利用できる。また、複数人で行動を共にした情報も自動的に取得できる。
【０１９０】
なお、本実施の形態において、第一情報処理装置２５３は、第二情報処理装置２５４が第一情報処理装置２５３から日記を作成するために情報を取得した場合に、当該情報の取得に対応して、課金処理しても良い。課金処理については、上述したとおりである。
【０１９１】
また、本実施の形態によれば、設置端末は、動画を取得したが、実施の形態１，２で述べたように、環境情報をも取得して送信しても良い。さらに、音声情報も取得して送信しても良い。かかる処理を行えば、ユーザは、動画だけではなく、音声や環境情報も自動的に取得でき、さらに、楽しい日記を得ることができる。
【０１９２】
さらに、本実施の形態における第二情報処理装置を実現するソフトウェアは、以下のようなプログラムである。つまり、このプログラムは、コンピュータに、情報取得指示情報の入力を受け付ける情報取得指示受付ステップと、情報取得指示情報に対応して１以上の映像を受信する映像受信ステップと、映像受信ステップで受信した映像を出力する映像出力ステップを実行させるためのプログラムである。なお、上記プログラムは、映像出力ステップで出力した映像を修正する指示または／および映像を選択する指示または／および入力を受け付ける編集指示受付ステップと、編集指示受付ステップで受け付けた指示や入力に基づいて日記を構成する日記構成ステップと、日記構成ステップで構成した日記の情報を蓄積する日記蓄積ステップをさらに具備しても良い。
【０１９３】
（実施の形態４）
本実施の形態において、第一情報処理装置は、条件を格納しており、受信したユーザ居場所情報が、条件に合致したら、その旨の情報を蓄積、または／および情報を出力する態様である。例えば、第一情報処理装置は、予め決まられたルートを移動したユーザに対して、景品を与えたり、その旨を通知したりする。つまり、オリエンテーリング等に利用できるシステムである。
【０１９４】
図３４は、本実施の形態における情報処理システムのブロック図である。本情報処理システムは、携帯端末１１と、種々の場所に設置されている１以上の設置端末１２と、第一情報処理装置３４３と、第二情報処理装置１４を有する。
【０１９５】
第一情報処理装置３４３は、ユーザ居場所情報受信部１３０１、ユーザ居場所情報蓄積部１３０２、情報取得指示受信部１３０３、場所情報取得部１３０４、場所情報送信部１３０５、課金処理部１３０６、条件情報格納部３４３０１、条件合致判断部３４３０２、判断結果出力部３４３０３を具備する。
【０１９６】
条件情報格納部３４３０１は、条件を示す情報である条件情報を格納している。条件情報の構造は、問わない。条件情報とは、登録された場所情報のすべて、または一部に行くことを条件とする情報でも良い。また、条件情報とは、一定時間内に、登録されたすべての場所情報に行くことを条件とする情報でも良い。その他、条件情報とは、１以上のユーザ居場所情報に基づいて合致／不合致の判断（合致度の判断も含む）ができる条件を示す情報であれば良い。条件情報格納部３４３０１は、不揮発性の記録媒体が好適であるが、揮発性の記録媒体でも実現可能である。
【０１９７】
条件合致判断部３４３０２は、ユーザ居場所情報受信部１３０１が受信した１以上のユーザ居場所情報が、条件情報格納部３４３０１の条件情報が示す条件に合致するか否かを判断する。条件合致判断部３４３０２は、通常、ＭＰＵやメモリ等から実現され得る。条件合致判断部３４３０２の判断の処理手順は、通常、ソフトウェアで実現され、当該ソフトウェアはＲＯＭ等の記録媒体に記録されている。但し、ハードウェア（専用回路）で実現しても良い。
【０１９８】
判断結果出力部３４３０３は、条件合致判断部３４３０２の判断が合致するとの判断である場合に、その旨の情報を蓄積または出力する。出力とは、ディスプレイの表示、プリンタへの印字、音出力、外部の装置（例えば、第二情報処理装置１４）への送信等を含む概念である。判断結果出力部３４３０３は、ディスプレイやスピーカー等の出力デバイスを含むと考えても含まないと考えても良い。判断結果出力部３４３０３は、出力デバイスのドライバーソフトまたは、出力デバイスのドライバーソフトと出力デバイス等で実現され得る。
【０１９９】
以下、本情報処理システムの動作について説明する。携帯端末１１、設置端末１２、第二情報処理装置１４の動作については、説明済みである。また、第一情報処理装置３４３が、設置端末１２からユーザ居場所情報を受信して蓄積する動作や、第二情報処理装置１４からの情報取得指示情報に基づいて場所情報等を送信する動作についても、説明済みである。次に、第一情報処理装置３４３が、条件合致／不合致の判断を行う動作について図３５のフローチャートを用いて説明する。
【０２００】
（ステップＳ３５０１）条件合致判断部３４３０２は、受信して蓄積した１以上のユーザ居場所情報が条件に合致するか否かの判断を開始するか否かを判断する。この判断は、予め決められた時刻に開始しても良いし、ユーザ等の開始の指示により開始しても良い。判断を開始する場合はステップＳ３５０２に行き、判断を開始しない場合はステップＳ３５０１に戻る。
【０２０１】
（ステップＳ３５０２）条件合致判断部３４３０２は、判断する対象の携帯端末識別情報を取得する。判断対象の携帯端末識別情報は、ユーザ（第二情報処理装置）から送信された携帯端末識別情報でも良いし、第一情報処理装置３４３が、取得した携帯端末識別情報でも良い。第一情報処理装置３４３が携帯端末識別情報を取得するアルゴリズムは問わない。第一情報処理装置３４３は、すべての携帯端末識別情報を順に、１つずつ取得しても良い。
【０２０２】
（ステップＳ３５０３）条件合致判断部３４３０２は、カウンタｉに１を代入する。
【０２０３】
（ステップＳ３５０４）条件合致判断部３４３０２は、条件情報格納部３４３０１の条件情報の中に、ｉ番目の場所情報が存在するか否かを判断する。なお、ここでは、条件情報は１以上の場所情報を有し、条件合致判断部３４３０２は、すべの場所情報が示す場所に、携帯端末識別情報で識別される人（ユーザ）が行ったか否かを判断するものとする。
【０２０４】
（ステップＳ３５０５）条件合致判断部３４３０２は、条件情報格納部３４３０１の条件情報の中のｉ番目の場所情報を取得する。
【０２０５】
（ステップＳ３５０６）条件合致判断部３４３０２は、ステップＳ３５０２で取得した携帯端末識別情報と、ステップＳ３５０５で取得した場所情報を有するレコードが、ユーザ居場所情報蓄積部１３０２が蓄積した情報（レコード）中に存在するか否かを判断する。存在すればステップＳ３５０７に行き、存在しなければステップＳ３５０８に飛ぶ。
【０２０６】
（ステップＳ３５０７）条件合致判断部３４３０２は、カウンタｉを１インクリメントする。ステップＳ３５０４に戻る。
【０２０７】
（ステップＳ３５０８）条件合致判断部３４３０２は、判断結果に「ＮＧ」を代入する。
【０２０８】
（ステップＳ３５０９）判断結果出力部３４３０３は、判断結果を出力する。なお、判断結果は、蓄積されても良い。処理を終了する。
【０２０９】
（ステップＳ３５１０）条件合致判断部３４３０２は、判断結果に「ＯＫ」を代入する。ステップＳ３５０９に行く。
【０２１０】
なお、図３５のフローチャートにおいて、ある携帯端末識別情報で識別される人（ユーザ）が、予め決められたすべての場所に行った場合に、条件に合致する、とした。しかし、予め決められたすべての場所に行く期間を限っても良いし、予め決められたすべての場所に行く順序を規定しても良い。また、条件情報は、一定時間以内に、すべての場所に行くことを条件とする情報でも良い。第一情報処理装置３４３は、ユーザ居場所情報を受信した時刻を保持する構成である場合（上記の実施の形態で述べた構成の場合）、時間や期限に関する条件を含めた判断が可能である。
【０２１１】
以下、本実施の形態における情報処理システムの具体的な動作について説明する。今、第一情報処理装置３４３は、設置端末１２から、図３０のユーザ居場所情報を受信し蓄積している、とする。また、第一情報処理装置３４３は、図３６に示す条件情報を管理している、とする（図３６を条件情報管理表という）。図３６によれば、「観光地Ｘ」「観光地Ｙ」「観光地Ｚ」を順に訪れ、かつ、４時間以内に３つの観光地を訪れなければならない。
【０２１２】
かかる場合、第一情報処理装置３４３は、「山田次郎」という携帯端末識別情報を取得した、とする。そして、第一情報処理装置３４３は、「山田次郎」という携帯端末識別情報をキーとして、図３０の表を検索し、「山田次郎」という携帯端末識別情有するレコードを取得する。第一情報処理装置３４３が取得した情報は、図３１となる。
【０２１３】
次に、第一情報処理装置３４３は、図３１の「ＩＤ＝１」の場所情報「観光地Ｘ」を取得する。そして、第一情報処理装置３４３は、図３６の条件情報管理表から「順序＝１」の場所情報「観光地Ｘ」を取得する。「山田次郎」さんが訪れた最初の場所と図３６の条件情報管理表から取得した第一の場所情報は一致するので、第一の条件はクリアしたと、第一情報処理装置３４３は判断する。
【０２１４】
次に、第一情報処理装置３４３は、図３１の「ＩＤ＝２」の場所情報「観光地Ｙ」を取得する。そして、第一情報処理装置３４３は、図３６の条件情報管理表から「順序＝２」の場所情報「観光地Ｙ」を取得する。「山田次郎」さんが訪れた第二番目の場所と図３６の条件情報管理表から取得した第二の場所情報は一致するので、第二の条件はクリアしたと、第一情報処理装置３４３は判断する。
【０２１５】
次に、第一情報処理装置３４３は、図３１の「ＩＤ＝３」の場所情報「観光地Ｚ」を取得する。そして、第一情報処理装置３４３は、図３６の条件情報管理表から「順序＝３」の場所情報「観光地Ｚ」を取得する。「山田次郎」さんが訪れた第三番目の場所と図３６の条件情報管理表から取得した第三の場所情報は一致するので、第三の条件はクリアしたと、第一情報処理装置３４３は判断する。
【０２１６】
次に、第一情報処理装置３４３は、図３１の「ＩＤ＝１」の時刻「１０：５１」と、「ＩＤ＝３」の時刻「１５：２１」を取得する。そして、「観光地Ｘ」から「観光地Ｙ」を経由して、「観光地Ｚ」を訪れたときの所要時間を算出する。第一情報処理装置３４３は、当該所要時間を「４時間３０分」と算出する。
【０２１７】
次に、第一情報処理装置３４３は、図３６の条件情報から制限時間「４時間」を取得する。次に、当該所要時間「４時間３０分」は制限時間「４時間」を越えているので、第一情報処理装置３４３は「ＮＧ」との判断結果を取得する。そして、第一情報処理装置３４３は、携帯端末識別情報「山田次郎」の条件判断結果は、「ＮＧ」として出力する。
【０２１８】
以上、本実施の形態によれば、ある人が１以上の場所に行った場合に、予め格納された条件に合致するか否かを自動的に判断できる。かかる判断に基づいて、条件に合致した人に、景品をあげる、管理しているポイントを加算するなどの処理をすれば、例えば、観光地を訪問する人が増え、地域の活性化を実現できる。
【０２１９】
なお、本実施の形態において、上述したように、条件情報の内容やデータ構造は問わない。
【０２２０】
また、本実施の形態において、条件情報は、二人以上の者が移動する場合の条件を示す情報であっても良い。
【０２２１】
また、第一情報処理装置３４３が条件情報に合致するか否かの判断を行ったが、他の装置で条件判断のみを行っても良い。
【０２２２】
さらに、本実施の形態において、条件合致判断部の判断が条件に合致するとの判断である場合に、その旨の情報を蓄積だけしても良いし、出力だけしても良いし、蓄積も出力もしても良い。
【発明の効果】
以上のように本発明によれば、ユーザが移動した際の情報を自動的に取得でき、日記の作成等に有効に利用できる。
【図面の簡単な説明】
【図１】実施の形態１における情報処理システムの概念図
【図２】実施の形態１における情報処理システムのブロック図
【図３】実施の形態１における第一情報処理装置の動作を説明するフローチャート
【図４】実施の形態１における第二情報処理装置の動作を説明するフローチャート
【図５】実施の形態１におけるユーザ居場所情報の構成を示す図
【図６】実施の形態１におけるユーザ居場所情報管理表を示す図
【図７】実施の形態１における日記帳アプリケーションの初期画面を示す図
【図８】実施の形態１における日記帳アプリケーションの表示例を示す図
【図９】実施の形態１における第一情報処理装置が取得した情報の例を示す図
【図１０】実施の形態１における日記帳アプリケーションの表示例を示す図
【図１１】実施の形態１における日記帳アプリケーション日記の枠組みを示す図
【図１２】実施の形態１における日記帳アプリケーションの表示例を示す図
【図１３】本実施の形態２における情報処理システムのブロック図
【図１４】本実施の形態２における設置端末の動作を説明するフローチャート
【図１５】本実施の形態２における第二情報処理装置の動作を説明するフローチャート
【図１６】本実施の形態２における情報処理システムの概念図
【図１７】本実施の形態２における氏名情報管理表を示す図
【図１８】本実施の形態２におけるユーザ居場所情報の例を示す図
【図１９】本実施の形態２におけるユーザ居場所情報管理表を示す図
【図２０】実施の形態２における日記帳アプリケーションの表示例を示す図
【図２１】本実施の形態２における第二情報処理装置が受信する情報の例を示す図
【図２２】本実施の形態２における第二情報処理装置が構成する情報の例を示す図
【図２３】実施の形態２における日記帳アプリケーション日記の枠組みを示す図
【図２４】実施の形態２における日記帳アプリケーションの表示例を示す図
【図２５】実施の形態３における情報処理システムの概念図
【図２６】実施の形態３における情報処理システムのブロック図
【図２７】実施の形態３における第一情報処理装置の動作を説明するフローチャート
【図２８】実施の形態３における第二情報処理装置の動作を説明するフローチャート
【図２９】実施の形態３におけるユーザ居場所情報の例を示す図
【図３０】実施の形態３におけるユーザ居場所情報管理表の例を示す図
【図３１】実施の形態３における第二情報処理装置が取得した情報の例を示す図
【図３２】実施の形態３における日記帳アプリケーションの表示例を示す図
【図３３】実施の形態３における日記帳アプリケーションの表示例を示す図
【図３４】実施の形態４における情報処理システムのブロック図
【図３５】実施の形態４における第一情報処理装置の動作を説明するフローチャート
【図３６】実施の形態４における条件情報管理表を示す図
【符号の説明】
１１  携帯端末
１２、１３２、２５２  設置端末
１３、２５３、３４３  第一情報処理装置
１４、１３４、２５４  第二情報処理装置
１１０１  携帯端末識別情報格納部
１１０２  携帯端末識別情報送信部
１２０１  場所情報格納部
１２０２、１３２０２  携帯端末識別情報受信部
１２０３、１３２０３、２５２０２  ユーザ居場所情報送信部
１３０１、２５３０１  ユーザ居場所情報受信部
１３０２、２５３０２  ユーザ居場所情報蓄積部
１３０３  情報取得指示受信部
１３０４  場所情報取得部
１３０５  場所情報送信部
１３０６  課金処理部
１４０１  情報取得指示受付部
１４０２  情報取得指示送信部
１４０３、１３４０３  場所情報受信部
１４０４、１３４０４  場所情報出力部
１４０５、２５４０５  編集指示受付部
１４０６、２５４０６  日記構成部
１４０７、２５４０７  日記蓄積部
１３４０１  氏名情報格納部
２５２０１、２５３０４  映像取得部
２５３０５  映像送信部
２５４０３  映像受信部
２５４０４  映像出力部
３４３０１  条件情報格納部
３４３０２  条件合致判断部
３４３０３  判断結果出力部
【図１】
2004274226.tif 000003
【図２】
2004274226.tif 000004
【図３】
2004274226.tif 000005
【図４】
2004274226.tif 000006
【図５】
2004274226.tif 000007
【図６】
2004274226.tif 000008
【図７】
2004274226.tif 000009
【図８】
2004274226.tif 000010
【図９】
2004274226.tif 000011
【図１０】
2004274226.tif 000012
【図１１】
2004274226.tif 000013
【図１２】
2004274226.tif 000014
【図１３】
2004274226.tif 000015
【図１４】
2004274226.tif 000016
【図１５】
2004274226.tif 000017
【図１６】
2004274226.tif 000018
【図１７】
2004274226.tif 000019
【図１８】
2004274226.tif 000020
【図１９】
2004274226.tif 000021
【図２０】
2004274226.tif 000022
【図２１】
2004274226.tif 000023
【図２２】
2004274226.tif 000024
【図２３】
2004274226.tif 000025
【図２４】
2004274226.tif 000026
【図２５】
2004274226.tif 000027
【図２６】
2004274226.tif 000028
【図２７】
2004274226.tif 000029
【図２８】
2004274226.tif 000030
【図２９】
2004274226.tif 000031
【図３０】
2004274226.tif 000032
【図３１】
2004274226.tif 000033
【図３２】
2004274226.tif 000034
【図３３】
2004274226.tif 000035
【図３４】
2004274226.tif 000036
【図３５】
2004274226.tif 000037
【図３６】
2004274226.tif 000038